(57)【要約】【課題】通常デジタルカメラ底面に設けてある三脚取り付け用ネジ穴等を利用することで、容易に汎用性の高い固定が可能な記録装置を提供する。【解決手段】デジタルカメラ２に設けられた結合用ネジ穴に結合可能な結合部材を有し、前記デジタルカメラを固定可能にしたことを特徴とする。【選択図】    図１
2004262112.tif 000002
【特許請求の範囲】
【請求項１】
デジタルカメラに設けられた結合用ネジ穴に結合可能な結合部材を有し、前記デジタルカメラを固定可能にしたことを特徴とする記録装置。
【発明の詳細な説明】
【０００１】
【発明の属する技術分野】
本発明は、デジタルカメラの画像を印刷可能な記録装置に関する。
【０００２】
【従来の技術】
デジタルカメラで撮影した画像をプリンタ等の記録装置において印刷するには、まずパーソナルコンピュータにおいて通信処理用のアプリケーションソフトウエアを起動し、デジタルカメラ内の記録媒体に記録された画像データをパーソナルコンピュータに取り込む。次に画像処理用のアプリケーションソフトウエアを起動し、必要なときは取り込んだ画像に対して画像処理を行い、その画像をパーソナルコンピュータに接続されている記録装置へ出力し印刷を行うという手順が必要であった。
【０００３】
この手順を簡略化する方法としてパーソナルコンピュータを介さずにデジタルカメラで撮影した画像を記録装置で印刷する形態もあり、次にその一例を示す。
【０００４】
デジタルカメラで撮影した画像をデジタルカメラ内の記録媒体に記録し、その記録媒体がデジタルカメラから取り出せ、その媒体を記録装置に設けられた記録媒体接続装置に装着することで、パーソナルコンピュータを介さずに画像データを記録装置に取り込むことを可能としたものがある。
【０００５】
また、記録装置にＬＣＤ（Ｌｉｑｕｉｄ  Ｃｒｙｓｔａｌ  Ｄｉｓｐｌａｙ：液晶表示装置）と操作スイッチを備えることで、画像処理や画像の確認、印刷の決定を行うことができるものもある。
【０００６】
またさらに以上の手順を簡略化する方法として次のような例がある。デジタルカメラと記録装置を専用または汎用の接続線を用いて接続し、その接続線を介してデジタルカメラの画像を記録装置に取り込むことができ、より簡単にデジタルカメラの画像を記録装置にて印刷することを可能とした。
【０００７】
【発明が解決しようとする課題】
しかしながら上記従来例においては以下のような問題点があった。
【０００８】
デジタルカメラと記録装置を接続して印刷する際に、デジタルカメラは使用者が手に持っているか、別途デジタルカメラを置くための平らなスペースが必要であった。
【０００９】
また、デジタルカメラを置くためのスペースとして記録装置の天面などに適度な面積の平面部を設けることで、別途デジタルカメラを置くためのスペースを設ける必要をなくしたものがある。しかし平面部を設けただけではデジタルカメラは固定されていなく不安定であった。
【００１０】
また、デジタルカメラの外形を押さえるようにしてデジタルカメラを記録装置に固定するものがあるが、この場合では固定できるデジタルカメラは同一外形のものに限定されてしまい、汎用性が失われてしまう。
【００１１】
本発明は以上のような問題に鑑みてなされたものであり、その目的は、デジタルカメラと記録装置を接続して使用する際などに、デジタルカメラを記録装置に固定する方法として、通常デジタルカメラ底面に設けてある三脚取り付け用ネジ穴等を利用することで、容易に汎用性の高い固定が可能な記録装置を提供するものである。
【００１２】
【課題を解決するための手段】
上記目的を達成するための本発明に係る代表的な構成は、デジタルカメラに設けられた結合用ネジ穴に結合可能な結合部材を有し、前記デジタルカメラを固定可能にしたことを特徴とする。
【００１３】
【発明の実施の形態】
以下から図面を参照して本発明を具体的に説明する。
【００１４】
〔第１実施形態〕
図１は本発明を適用した記録装置とデジタルカメラを接続した第１実施形態の概念斜視図である。
【００１５】
１は記録ヘッドから記録信号に応じてインクを吐出して記録するインクジェット記録装置であり、本実施形態ではインクの吐出構成として、記録信号に応じて電気熱変換体に通電し、その熱エネルギーによってインクに生ずる膜沸騰を利用してインクに生ずる気泡の成長、収縮により、インクを吐出口から吐出して記録を行うように構成している。このように、熱エネルギーによって気泡を成長収縮させてインクを吐出させることで、特に応答性に優れた液体の吐出を達成している。
【００１６】
また、図１において、１１はインクジェット記録装置１に設けられた表示部、１２はインクジェット記録装置１に設けられた操作部、１３はインクジェット記録装置１に設けられたデジタルカメラ固定部、２はデジタルカメラ、２１はデジタルカメラ２に設けられた表示部、２２はデジタルカメラ２に設けられた操作部である。
【００１７】
図２はデジタルカメラ固定部１３の詳細図である。１３１はインクジェット記録装置１の外観面に外側に凸となる方向に設けられた結合部材としての雄ネジ部材（以下「ネジ山」という）、１３２はネジ山１３１と同軸または回転が伝達されているダイヤル、１３３は平面部、１３４ａおよび１３４ｂは位置決めボス、１３５はデジタルカメラ２と双方向通信または電力供給を行うためのインタフェイスコネクタである。
【００１８】
図３はデジタルカメラ２の三脚取り付け用ネジ穴の周辺詳細図である。２３１は三脚取り付け用ネジ穴、２３３はデジタルカメラ２の底面部、２３４ａは位置決め穴、２３４ｂは位置決め長穴、２３５はインクジェット記録装置１と双方向通信または電力供給を行うためのインタフェイスコネクタである。
【００１９】
通常、デジタルカメラ２には三脚を取り付けるために底面部２３３に三脚取り付け用のネジ穴２３１が設けられている。このネジ穴２３１は多くの三脚と汎用性を保つために、ユニファイ並目ネジ（ＪＩＳ  Ｂ０２０６）のネジの呼びが１／４−２０ＵＮＣまたは３／８−１６ＵＮＣのネジ穴が使われている。またネジ穴２３１の深さは通常５．５ｍｍ以上である。
【００２０】
インクジェット記録装置１の平面部１３３に外側に凸となる方向にネジ山１３１を設け、かつネジ山１３１をユニファイ並目ネジ（ＪＩＳ  Ｂ０２０６）のネジの呼びが１／４−２０ＵＮＣまたは３／８−１６ＵＮＣとすることで、固定できるデジタルカメラ２を限定することなく多種のデジタルカメラ２を固定することが可能になる。この時、ネジ山１３１の長さは４．５ｍｍ程度が適当である。
【００２１】
また、デジタルカメラ２の底面部２３３は、通常デジタルカメラ２を平面に置いた時の安定性や、三脚との結合を考慮して平面であるので、インクジェット記録装置１に設けた、ネジ山１３１の周辺部にも平面部１３３を設けることでより多くのデジタルカメラ２を固定することが可能である。
【００２２】
また、前記平面部１３３に図示しない弾性部材を設けることで、デジタルカメラ２をインクジェット記録装置１に固定する際に、デジタルカメラ２の回転またはガタツキを抑止することができ、より容易にデジタルカメラ２の固定を行うことが可能となる。
【００２３】
次にデジタルカメラ２をインクジェット記録装置１に固定する手順を説明する。ネジ山１３１がデジタルカメラ固定部１３に固定されている。つまり、ネジ山１３１が回転不可の場合にはデジタルカメラ２を回転させることでネジ山１３１とネジ穴２３１が噛み合い、さらにデジタルカメラ２を回転させるとデジタルカメラ固定部１３の平面部１３３とデジタルカメラ２の底面部２３３が接して、デジタルカメラ２がインクジェット記録装置１に固定される。
【００２４】
また、図２に示すように、ネジ山１３１を回転自由に保持し、ネジ山１３１の軸を延長し、同軸上にダイヤル１３２を設けることで、ネジ山１３１を使用者が任意に回転させることができ、デジタルカメラ２を回転させることなくデジタルカメラ２をインクジェット記録装置１に固定することが可能になる。
【００２５】
さらにデジタルカメラ２の表示部２１の向きをネジ山１３１の軸を中心として使用者が任意の角度で設定することも可能になる。また、ネジ山１３１の軸とダイヤル１３２の軸を図示しないアイドラギヤまたは図示しない伝達ベルトで駆動を伝達することによってダイヤル１３２を任意の場所に設けることもでき、より使用者の簡便をよくすることも可能である。
【００２６】
また、ネジ山１３１に図示しないモータなどの駆動手段からの回転を伝達可能とすることで、図示しない駆動手段のスイッチを使用者が入れるとネジ山１３１が回転し、ネジ穴２３１とネジ山１３１が噛み合いデジタルカメラ２をインクジェット記録装置１に固定することも可能である。また、デジタルカメラ固定部１３にデジタルカメラ２が近づいたことを検知する図示しない検知手段を設けて、図示しない駆動源のスイッチと連携させることで、使用者はデジタルカメラ２をデジタルカメラ固定部１３に近づけるだけでネジ山１３１が回転し、デジタルカメラ２をインクジェット記録装置１に固定するように構成することも可能である。
【００２７】
また、ネジ山１３１を弾性部材によって形成すると、ネジ穴２３１にネジ山１３１を回転さることなく差し込むだけで、ネジ穴２３１とネジ山１３１が噛み合い、デジタルカメラ２をインクジェット記録装置１に固定することが可能である。
【００２８】
図３に示すように、デジタルカメラ２の三脚取り付け用ネジ穴２３１の周辺にインタフェイスコネクタ２３５が設けられている場合に、平面部１３３の対向する位置にインタフェイスコネクタ１３５をインクジェット記録装置１に設けることで、デジタルカメラ２をインクジェット記録装置１に固定すると同時にデジタルカメラ２とインクジェット記録措置１は電気的にも接続されて、双方向通信または電力供給が可能になる。つまり、別途ケーブルなどを用意せずに固定するだけで電気的接続が可能になる。またこのときインクジェット記録装置１のインタフェイスコネクタ１３５の付近に位置決めボス１３４ａ及び位置決めボス１３４ｂを設け、デジタルカメラ２のインタフェイスコネクタ２３５の付近の対向する位置に位置決め穴２３４ａ及び位置決め長穴２３４ｂを設けることで、インタフェイスコネクタ１３５及び２３５の接続のズレによる電気ショートなどを防ぐことができる。
【００２９】
またここでは平面部１３３及び底面部２３３にインタフェイスコネクタ１３５及び２３５を設けた場合を説明したが、インクジェット記録装置１とデジタルカメラ２の接続に、別途通信用のケーブルを用いたり、無線によって通信を行ったりした場合でも、本発明は効果をうることができる。
【００３０】
図４は、ネジ山１３１の別形態の例を示した斜視図である。また、図５及び図６はその断面図である。
【００３１】
図において、１３１ａ，１３１ｂ，１３１ｃ及び１３１ｄはネジ山１３１を分割したものであり、バネなどの弾性部材１３７によって軸中心方向へ押圧されている。またその軸中心の下部にはピン１３６が上下に移動できるように保持されている。
【００３２】
次に、この形態における固定の動作例を説明する。図６に示すように、デジタルカメラ２をインクジェット記録装置１に固定する前は、ピン１３６はネジ山１３１の軸中心の下部に位置しているので、ネジ山１３１ａ、ネジ山１３１ｂ、ネジ山１３１ｃ及びネジ山１３１ｄはバネ１３７からの押圧によって軸中心方向に寄り集まり、結果としてネジ山１３１のネジ山径は小さくなり、ネジ穴２３１を差し込んでも噛み合わない。この状態において、図５のように、ピン１３６を軸中心に沿って上方に移動させると、それぞれネジ山１３１ａ、ネジ山１３１ｂ、ネジ山１３１ｃ及びネジ山１３１ｄは軸中心から外側に向かって移動し、結果としてネジ山１３１の径は大きくなり、ネジ穴２３１と噛み合い、デジタルカメラ２がデジタルカメラ固定部１３に固定される。
【００３３】
このように、ピン１３６が軸中心に沿って上下することによってデジタルカメラ２のインクジェット記録装置１への着脱が容易に可能となる。
【００３４】
次にデジタルカメラ２をインクジェット記録装置１に固定した後の使用例を説明する。
【００３５】
図１において、インクジェット記録装置１に設けた表示部１１と操作部１２、またはデジタルカメラ２に設けられた表示部２１と操作部２２を使用して、デジタルカメラ２の内蔵された記憶装置から印刷したい撮影済みの画像データを指定し、インクジェット記録装置１に画像データを送る。画像データを受け取ったインクジェット記録装置１は画像を印刷し、使用者は指定した画像の印刷物を得ることができる。
【００３６】
ここでは、インクジェット記録装置１に表示部１１及び操作部１２を設けている場合を説明したが、表示部１１及び操作部１２がない場合でも、デジタルカメラ２に設けられている表示部２１及び操作部２２を利用して同様に印刷物を得ることができる。
【００３７】
〔第２実施形態〕
図７、図８、図９はインクジェット記録装置１に設けた固定部１３における第２の実施形態を示したものである。
【００３８】
図７おいて、１４０はデジタルカメラ固定部１３とインクジェット記録装置１の間に設けた回転収納機構である。これにより、デジタルカメラ固定部１３を使用しない時に、回転収納機構１４０を軸中心としてデジタルカメラ固定部１３はインクジェット記録装置１の後方に回転移動し、インクジェット記録装置１の背面内部に収納される。
【００３９】
また、図８において、１４１はスライドスイッチである。ネジ山１３１を軸中心に沿って上下方向にスライド移動可に保持し、スライドスイッチ１４１とリンクさせることにより、ネジ山１３１を任意に上下移動できる。
【００４０】
また、図９において、１４２はデジタルカメラ固定部１３の上方に設けたカバーである。これによりデジタルカメラ固定部１３を使用しないときに、カバー１４２によってデジタルカメラ固定部１３をインクジェット記録装置１の内部に収納することができる。
【００４１】
以上説明したように、第２の実施形態ではデジタルカメラ固定部１３をインクジェット記録装置１の内部に収納できるようにした。これにより、デジタルカメラ固定部１３を使用しない場合に、ネジ山１３１やインタフェイスコネクタ１３５をホコリの堆積や、使用者が謝って触れしまうことから保護し、長期間使用においても装置信頼性を高めることができる。またインクジェット記録装置１のデザイン上の美観を損なわない効果もある。
【００４２】
〔第３実施形態〕
図１０は固定部１３における第３の実施形態を示したものである。
【００４３】
図において、１３８はインクジェット記録装置１と固定部１３の間に設けた角度調整手段としてのチルト機構である。チルト機構１３８の内部及び外部には図示しないチルト角度保持手段が設けてあり、適度なチルト角度保持力によって固定部１３の角度が保持できるようになっている。これによって固定部１３に固定したデジタルカメラ２の表示部２１及び操作部２２の角度を使用者の任意の角度に設定することができ、視認性と操作性が向上する。
【００４４】
〔第４実施形態〕
図１１及び図１２は固定部１３における第４の実施形態を示したものである。なお、図１２において１４３は関節である。
【００４５】
図１１において１３９はインクジェット記録装置１と固定部１３の間に複数の関節１４３を介してつながっている腕である。腕１３９の各関節は回転自由だか適度な摩擦を持たせているので腕１３９の姿勢を任意に保つことができる。
【００４６】
これによって固定部１３に固定したデジタルカメラ２を使用者の任意の位置及び使用者の任意の姿勢に保つことができ、さらに視認性と操作性が向上する。
【００４７】
なお、前述した各実施形態はインクジェット記録装置を例示したが、これはデジタルカメラで撮影した写真を印刷する記録方式として容易、且つ低コストで記録可能だからである。しかし、記録方式はインクジェット方式に限定する必要はなく、電子写真方式等の他の記録方式を用いてたものでもよい。
【００４８】
〔実施態様〕
次に本発明を適用し得る好ましい実施態様を以下に列挙する。
【００４９】
［実施態様１］  デジタルカメラに設けられた結合用ネジ穴に結合可能な結合部材を有し、前記デジタルカメラを固定可能にしたことを特徴とする記録装置。
【００５０】
［実施態様２］  前記デジタルカメラ積載想定領域を平面としたことを特徴とした実施態様１に記載の記録装置。
【００５１】
［実施態様３］  前記結合部材はネジ部材であり、軸を中心に回転自由であることを特徴とする実施態様１又は実施態様２に記載の記録装置。
【００５２】
［実施態様４］  装置本体に対する前記結合部材の角度を調整可能な角度調整手段を有することを特徴とする実施態様１乃至実施態様３のいずれかに記載の記録装置。
【００５３】
［実施態様５］  前記結合部材の近傍に前記デジタルカメラとの通信用または電力供給用の接続部を設けたことを特徴とする実施態様１乃至実施態様４のいずれかに記載の記録装置。
【００５４】
［実施態様６］  前記結合部材を装置本体内に収納可能に構成したことを特徴とする実施態様１乃至実施態様５のいずれかに記載の記録装置。
【００５５】
［実施態様７］  前記結合部材及び前記通信用または電力供給用の接続部を装置本体内に収納し、且つカバーによって被蓋可能に構成したことを特徴とする実施態様５に記載の記録装置。
【００５６】
［実施態様８］  前記結合部材はデジタルカメラに設けられた三脚用ネジ穴に結合可能であることを特徴とする実施態様１乃至実施態様７のいずれかに記載の記録装置。
【００５７】
［実施態様９］  前記記録装置は、記録手段が信号に応じてインクを吐出して記録することを特徴とする実施態様１乃至実施態様８のいずれかに記載の記録装置。
【００５８】
［実施態様１０］  前記記録装置は、記録手段が信号に応じて電気熱変換体に通電し、該電気熱変換体の発する熱エネルギーによってインクを吐出することを特徴とする実施態様９記載の記録装置。
【００５９】
【発明の効果】
以上の説明のように、本発明にあっては、記録装置にデジタルカメラを固定する際に、デジタルカメラの底面に設けてある三脚取り付けネジ穴を利用することで、デジタルカメラを限定することなく多数のデジタルカメラを記録装置に固定することを可能となる。
【００６０】
また、デジタルカメラ固定部を記録装置内部に収納可能にすれば、装置の信頼性の向上とデザイン上の美観向上を可能となる。また、記録装置と固定部の間に回転機構を設けることで、使用者の任意の位置及び姿勢にデジタルカメラを固定することができ、使用者の使い勝手をよりよくすることを可能となる。
【図面の簡単な説明】
【図１】第１実施形態の全体構成を示すインクジェット記録装置とデジタルカメラの斜視図である。
【図２】第１実施形態のデジタルカメラ固定部の詳細図である。
【図３】デジタルカメラの三脚取り付けネジ穴の周辺詳細図である。
【図４】第１実施形態におけるネジ山の別形態の例を示した斜視図である。
【図５】第１実施形態におけるネジ山の別形態の例を示した概念断面図である。
【図６】第１実施形態におけるネジ山の別形態の例の動作を示した概念断面図である。
【図７】第２実施形態のデジタルカメラ固定部の斜視図である。
【図８】第２実施形態におけるデジタルカメラ固定部の別形態の例を示した斜視図である。
【図９】第２実施形態におけるデジタルカメラ固定部の別形態の例を示した斜視図である。
【図１０】第３実施形態のデジタルカメラ固定部の斜視図である。
【図１１】第４実施形態のデジタルカメラ固定部の斜視図である。
【図１２】第４実施形態の腕及び関節の拡大断面図である。
【符号の説明】
１    …インクジェット記録装置
２    …デジタルカメラ
１１    …表示部
１２    …操作部
１３    …デジタルカメラ固定部
２１    …表示部
２２    …操作部
１３１    …ネジ
１３１ａ，１３１ｂ，１３１ｃ，１３１ｄ  …ネジ山
１３２    …ダイヤル
１３３    …平面部
１３４ａ，１３４ａ  …位置決めボス
１３５    …インタフェイスコネクタ
１３６    …ピン
１３７    …弾性部材
１３８    …チルト機構
１３９    …腕
１４０    …回転収納機構
１４１    …スライドスイッチ
１４２    …カバー
１４３    …関節
２３１    …ネジ穴
２３３    …底面部
２３４ａ  …位置決め穴
２３４ｂ  …位置決め長穴
２３５    …インタフェイスコネクタ
【図１】
2004262112.tif 000003
【図２】
2004262112.tif 000004
【図３】
2004262112.tif 000005
【図４】
2004262112.tif 000006
【図５】
2004262112.tif 000007
【図６】
2004262112.tif 000008
【図７】
2004262112.tif 000009
【図８】
2004262112.tif 000010
【図９】
2004262112.tif 000011
【図１０】
2004262112.tif 000012
【図１１】
2004262112.tif 000013
【図１２】
2004262112.tif 000014